(57)【要約】      （修正有）【課題】軽量化を図るとともに、耐久性を有し安価なダンボール又は硬質紙製の演台を提供する。【解決手段】一枚のダンボール又は硬質紙の両側を折り目に沿って後方へ折り曲げることにより略断面コ字状に形成される前壁２及び左右のベースプレート５、６を備えた基台と、ベースプレートの外側表面にそれぞれ固定される左右の側壁２０、２１、ベースプレートの上端に固定される天板３０及び左右のベースプレートの内側に固定される棚板３１とからなるダンボール又は硬質紙から形成される演台Ａであって、左右のベースプレートは、それぞれ上段と下段とに分かれ、上段のベースプレート５と下段のベースプレート６との間には、スペースが形成され、棚板の両端がスペースに嵌挿される。【選択図】図６
0003227021.tif 000002
【実用新案登録請求の範囲】
【請求項１】
前壁、左右の側壁及び天板とからなり、ダンボール又は硬質紙から形成されていること、
を特徴とする演台。
【請求項２】
前記演台は内側に棚板を備えていること、
を特徴とする請求項１に記載の演台。
【請求項３】
一枚のダンボール又は硬質紙の両側を折り目に沿って後方へ折り曲げることにより略断面コ字状に形成される前壁及び側壁を取り付けるための左右のベースプレートを備えた基台と、前記ベースプレートの外側表面にそれぞれ固定される左右の側壁及び前記ベースプレートの上端に固定される天板とからなり、
ダンボール又は硬質紙から形成されていること
を特徴とする演台。
【請求項４】
前記左右のベースプレートの内側には棚板が備えられていること、
を特徴とする請求項３に記載の演台。
【請求項５】
前記左右のベースプレートは、それぞれ上段と下段とに分かれ、上段のベースプレートと下段のベースプレートとの間には、スペースが形成されていて、前記棚板の両端が当該スペースに嵌挿されていること、
を特徴とする請求項４に記載の演台。
【請求項６】
前記各ベースプレートの一端は、演台の側縁を構成する側縁部及びそれと連続する接合片を介して前記前壁の左右と連接されており、前記各接合片は折り曲げられて前記前壁の内側表面と固着され、前記前壁の側端部を形成していること、
前記各ベースプレートの他端は、その後縁部及び折返し片がそれぞれ連設されていて、当該各折返し片は、前記後縁部を介して折り曲げられて前記ベースプレートの外側表面と固着され、当該各ベースプレートの後端部を形成していること、
前記各側壁には、前縁となる前縁部及び折返し片がそれぞれ連設されていて、前記各側壁の折返し片は、前記各側壁の前縁部を介して折り曲げられて前記各側壁の内側表面と固着されていること、
及び前記各側壁は、その前縁部が前記各接合片にそれぞれ固着され、前記各側壁の折返し片は前記各ベースプレートの外側表面にそれぞれ固着されるとともに、前記各べースプレートの折返し片は、前記側壁の内側表面にそれぞれ固着されて、前記基台と前記各側壁とが固定されること、
を特徴とする請求項３から５のいずれか１項に記載の演台。
【請求項７】
前記天板及び前記棚板には、その後縁を構成する後縁部及び折返し片がそれぞれ連設されていて、当該天板及び棚板の折返し片は、前記後縁部を介して折り曲げられて前記天板及び棚板の裏側表面と固着され、前記天板及び前記棚板の後端部を形成していること、
及び前記各ベースプレートの後端頂部には、溝が形成されていて、前記天板及び前記棚板の後端部が当該溝に嵌合されていること、
を特徴とする請求項６に記載の演台。
【考案の詳細な説明】
【技術分野】
【０００１】
本考案は、ダンボール又は硬質紙で形成する演台に関する。  
【背景技術】
【０００２】
演台は、木材で製造されているものが多い。しかしながら、木製の演台では重量が重く、また多くの場所に設置するにはできるだけ製造コストを下げて普及させることが必要である。一方で、耐久性を有する必要がある。
【考案の概要】
【考案が解決しようとする課題】
【０００３】
本考案は上記課題を解決するもので、軽量化を図るとともに、耐久性を有し安価なダンボール又は硬質紙製の演台を提供するものである。
【課題を解決するための手段】
【０００４】
上記解題を解決するために、本考案に係る演台の第１の特徴は、前壁、左右の側壁及び天板とからなり、ダンボール又は硬質紙製から形成されていること、にある。
を特徴とする演台。
【０００５】
また、本考案に係る演台の第２の特徴は、前記第１の特徴における前記演台が内側に棚板を備えていること、にある。
【０００６】
本考案に係る演台の第３の特徴は、一枚のダンボール又は硬質紙の両側を折り目に沿って後方へ折り曲げることにより略断面コ字状に形成される前壁及び側壁を取り付けるための左右のベースプレートを備えた基台と、前記ベースプレートの外側表面にそれぞれ固定される左右の側壁及び前記ベースプレートの上端に固定される天板とからなり、ダンボール又は硬質紙から形成されていること、にある。
【０００７】
また、本考案に係る演台の第４の特徴は、前記第３の特徴における前記左右のベースプレートの内側に棚板が備えられていること、にある。
【０００８】
さらに、本考案に係る演台の第５の特徴は、前記第４の特徴における前記左右のベースプレートが、それぞれ上段と下段とに分かれ、上段のベースプレートと下段のベースプレートとの間には、スペースが形成されていて、前記棚板の両端が当該スペースに嵌挿されていること、にある。
【０００９】
さらにまた、本考案に係る演台の第６の特徴は、前記第３から第５までのいずれかの特徴における前記各ベースプレートの一端が、演台の側縁を構成する側縁部及びそれと連続する接合片を介して前記前壁の左右と連接されており、前記各接合片は折り曲げられて前記前壁の内側表面と固着され、前記前壁の側端部を形成していること、前記各ベースプレートの他端は、その後縁部及び折返し片がそれぞれ連設されていて、当該各折返し片は、前記後縁部を介して折り曲げられて前記ベースプレートの外側表面と固着され、当該各ベースプレートの後端部を形成していること、前記各側壁には、前縁となる前縁部及び折返し片がそれぞれ連設されていて、前記各側壁の折返し片は、前記各側壁の前縁部を介して折り曲げられて前記側壁の内側表面と固着されていること、及び前記各側壁は、その前縁部が前記各接合片にそれぞれ固着され、前記各側壁の折返し片は前記各ベースプレートの外側表面にそれぞれ固着されるとともに、前記各べースプレートの折返し片は、前記側壁の内側表面とそれぞれ固着されて、前記基台と前記各側壁とが固定されること、にある。
【００１０】
また、本考案に係る演台の第７の特徴は、前記第６の特徴における前記天板及び前記棚板には、その後縁を構成する後縁部及び折返し片がそれぞれ連設されていて、当該天板及び棚板の折返し片は、前記後縁部を介して折り曲げられて前記天板及び棚板の裏側表面と固着され、前記天板及び前記棚板の後端部を形成していること、及び前記各ベースプレートの後端頂部には、溝が形成されていて、前記天板及び前記棚板の後端部が当該溝に嵌合されていること、にある。
【考案の効果】
【００１１】
本考案によれば、演台はダンボール又は硬質紙から製造されるので、演台の重量及び製造コストを下げることができ、軽くて丈夫でリーズナブルな演台を提供することが可能となる。
【００１２】
また、紙で構成されているため、印刷特性に優れ、カラーやデザイン、社名等の印刷を自由に行うことができるとともに、演台の表面をラミネート加工することにより、拭き取るだけで容易に汚れを落とすことができる。また、通常の紙や段ボールと同様にリサイクルが可能であり、環境にやさしく、使用後廃棄する際にも手間がかからない。
【図面の簡単な説明】
【００１３】
【図１】図１は、本考案に係る演台の正面方向から見た斜視図である。
【図２】図２は、基台の展開図である。
【図３】図３は、側壁の展開図である。
【図４】図４は、天板及び棚板の展開図である。
【図５】図５は、本考案に係る演台の後方から見た斜視図であり、天板及び棚板が設置されていない状態を示したものである。
【図６】図６は、本考案に係る演台の後方から見た斜視図であり、天板及び棚板が設置されている状態を示したものである。
【考案を実施するための形態】
【００１４】
以下、図を参照して、本考案の実施形態を説明する。
【実施例１】
【００１５】
図１、５、６は、本考案に係る演台の実施例を示した斜視図である。図中、Ａは本考案に係るダンボール又は硬質紙製の演台であり、図２から４にある展開図の状態から図１、６に示されるように組み立てられる。
【００１６】
演台Ａは、演台Ａの前壁２を備えた基台１、左右の側壁２０、２１、天板３０、棚板３１とからなり、それぞれがダンボール又は硬質紙から形成されている。
【００１７】
基台１は、演台Ａを縦立させるもので、一枚のダンボール又は硬質紙の両側を折り目に沿って折り曲げることにより略断面コ字状に形成される。図２は、基台１の展開図であり、前壁２の左右に演台Ａの側縁を構成する側縁部３及びそれと連続する接合片４を介して上段のベースプレート５、下段のベースプレート６が連設されている。さらに、左右のベースプレート５、ベースプレート６には、その後縁部７、８及び折返し片９、１０がそれぞれ連設されている。ベースプレート５、６、後縁部７、８及び折返し片９、１０の頂部には、後縁部７、８を中心にして、左右両方向同じ長さに亘って溝１１、１２が形成されている。また、前壁２の上部には演台Ａの上縁を構成する上縁部１３を介して上部折返し片１４が連設されている。
【００１８】
側縁部３は、左右の山折り線ａ、ｂを山折りに折り曲げることで演台Ａの側縁を形成する。また、接合片４及びベースプレート５、６は、左右の谷折り線ｃを谷折りに折り曲げることで形成され、接合片４は折り曲げられて前壁２の内側表面と固着され、前壁２の側端部を形成し、前壁２の裏面の一部となる。また、ベースプレート５、６は、接合片４に対して略直角に後方に延出している。
【００１９】
さらに、後縁部７、８は、左右の谷折り線ｄ、ｅを谷折りに折り曲げることで形成される。また、折返し片９はベースプレート５、折返し片１０はベースプレート６の外側表面にそれぞれ固着されて、ベースプレート５、ベースプレート６の外側表面の一部となって後端部を形成し、それらから構成される後端頂部には溝１１、１２が設けられている。さらに、ベースプレート５及び折返し片９とベースプレート６及び折返し片１０との間には、スペース１５が設けられ、棚３１の側端部３３を嵌装するためのスペースとなる。
【００２０】
さらにまた、上縁部１３は、山折り線ｆ、ｇを山折りに折り曲げることで演台Ａの上縁を形成する。また、上部折返し片１４は前壁２の内側表面と固着され前壁２の裏面の一部となる。なお、接合片４と上部折返し片１４は、互いの一方の端部が重ならないように斜めにカットされ、前壁２の裏側に固着されている。
【００２１】
図３は、側壁２０、２１の展開図である。側壁２０と側壁２１とは左右対称で、同形状、同じ大きさで形成されている。側壁２０、２１の左右方向内側には、前縁部２２、２３を介して折返し片２４、２５が連設されている。左右の山折り線ｈ、ｉを山折りに折り曲げることで側壁２０、２１の前縁が形成され、折返し片２４は前記左右側壁上方の、折返し片２５は前記左右側壁の下方の内側表面にそれぞれ固着され、側壁２０、２１の裏面の一部となって、側壁２０、２１の前端部を形成している。前縁部２２及び折返し片２４と前縁部２３及び折返し片２５との間には、棚３１の側端部３３を嵌装するためのスペース２６が設けられている。
【００２２】
図４は、天板３０及び棚板３１の展開図である。天板３０及び棚板３１は同形状、同じ大きさで形成されている。天板３０は、ベースプレート５、６の頂部１６上に設置され、棚板３１はベースプレート５と６の間に設置されるものである。天板３０及び棚板３１の下方には前縁部３２、３３を介して折返し片３４、３５が連設されている。また、天板３０及び棚板３１の上方には後縁部３６、３７を介して折返し片３８、３９が連設されている。前縁部３２、３３及び折返し片３４、３５は、天板３０及び棚板３１より幅狭に形成されており、具体的には組み立てられた左右のベースプレート間の長さと同一である。山折りｊ、ｋを山折りに折り曲げることで天板３０、棚板３１の前縁が形成され、折返し片３４は天板３０の前方内側面と、折返し片３５は棚板３１の前方内側面とにそれぞれ固着され、天板３０、棚板３１の裏面の一部となって天板３０及び棚板３１の前端部を形成している。また、山折り線ｌ、ｍを山折りに折り曲げることで天板３０、棚板３１の後縁が形成され、折返し片３８は天板３０の後方内側面と、折返し片３９は棚板３１の後方内側面とにそれぞれ固着され、天板３０、棚板３１の裏面の一部となり、天板３０及び棚板３１の後端部を形成している。
【００２３】
次に、基台１への側壁２０、２１及び天板３０、棚板３１の取り付け方法について説明する。側壁２０、２１は、前縁部２２、２３を接合片４に、折返し片２４、２５をベースプレート５、６の（折返し片９、１０以外の）外側表面にそれぞれ固着される。また、べープレート５、６の折返し片９、１０の外側表面は、側壁２０、２１の（折返し片２４、２５以外の）内側表面にそれぞれ固着される。これにより、ベースプレート５、６と側壁２０、２１とは段差なく、均一に密着して固定される。側壁２０、２１と基台１との固定は、ビス等又は／及び接着剤で行われる。
【００２４】
また、天板３０は、ベースプレート５の頂部１６の上に載置されるとともに、前縁部３２が前壁２の裏面に固着され、天板３０上面の前端部は折返し片１４の下端部と近接しているか、又は接している。さらに、折返し片３４は溝１１上に嵌合される。天板３０は、ビス等又は／及び接着剤を介して基台１と固定される。
【００２５】
さらにまた、棚板３１は、その左右両端がベースプレート５、６間のスペース１５及び側壁２０、２１間のスペース２６に嵌挿されるとともに、前縁部３３が前壁２の裏面と接し、折返し片３５は溝１２に嵌合され、ビス等又は／及び接着剤を介して基台１と固定される。
【００２６】
以上、本考案の実施例につき図面など参照して詳細に説明したが、本考案はこれに限定されず、実用新案登録請求の範囲に記載した構成の範囲内において様々な態様で実施することができる。
【００２７】
以上説明したように、本考案に係る演台は、全てダンボール又は硬質紙（紙材）で形成される。よって、軽量化が図られるとともに、簡易に組み立てすることが可能となり、製造コストの軽減することができる。また、表面に印刷や塗装を施すことで商業的な効果を望むことが可能となる。さらに、耐用期間を経過した後はリサイクル材として再利用したり、焼却することができるので処分が容易である。
【符号の説明】
【００２８】
Ａ          演台
１          基台
２          前壁
５          上段ベースプレート
６          下段ベースプレート
９、１０    ベースプレート折返し片
１１、１２  ベースプレート溝
１５        ベースプレート間スペース
１６        ベースプレート頂部
２０、２１  側壁
２４、２５  側壁折返し片
２６        側壁間スペース
３０        天板
３１        棚板
３５、３８  天板折返し片
３６、３９  棚板折返し片
【図１】
0003227021.tif 000003
【図２】
0003227021.tif 000004
【図３】
0003227021.tif 000005
【図４】
0003227021.tif 000006
【図５】
0003227021.tif 000007
【図６】
0003227021.tif 000008
【手続補正書】
【提出日】令和2年4月20日(2020.4.20)
【手続補正１】
【補正対象書類名】実用新案登録請求の範囲
【補正対象項目名】請求項６
【補正方法】変更
【補正の内容】
【請求項６】
前記各ベースプレートの一端は、演台の側縁を構成する側縁部及びそれと連続する接合片を介して前記前壁の左右と連接されており、前記各接合片は折り曲げられて前記前壁の内側表面と固着され、前記前壁の側端部を形成していること、
前記各ベースプレートの他端は、その後縁部及び折返し片がそれぞれ連設されていて、当該各折返し片は、前記後縁部を介して折り曲げられて前記ベースプレートの外側表面と固着され、当該各ベースプレートの後端部を形成していること、
前記各側壁には、前縁となる前縁部及び折返し片がそれぞれ連設されていて、前記各側壁の折返し片は、前記各側壁の前縁部を介して折り曲げられて前記各側壁の内側表面と固着されていること、
及び前記各側壁は、その前縁部が前記各接合片にそれぞれ固着され、前記各側壁の折返し片は前記各ベースプレートの外側表面にそれぞれ固着されるとともに、前記各べースプレートの折返し片は、前記側壁の内側表面にそれぞれ固着されて、前記基台と前記各側壁とが固定されること、
を特徴とする請求項４または５に記載の演台。